(57)【要約】【課題】昇降路のピット部に巻上機が設置されたエレベータ装置において、昇降路サイズの増大を抑制することができるエレベータ装置を得る。【解決手段】エレベータ昇降路１内を昇降するかご２と、かご２と釣瓶式に懸架され、平面視かご２と一側の昇降路壁４ａとの間に形成された空間を、かご２とは逆方向に昇降する釣合い重り３と、昇降路１のピット部に設けられ、平面視かご２と釣合い重り３との間に配置された巻上機１３と、を備えるとともに、釣合い重り３及び巻上機１３を、平面視、その長手方向が、上記空間の長手方向に合わせて配置する。【選択図】図２
2008168986.tif 000002
【特許請求の範囲】
【請求項１】
エレベータ昇降路内を昇降するかごと、
前記かごと釣瓶式に懸架され、平面視前記かごと一側の昇降路壁との間に形成された空間を、前記かごとは逆方向に昇降する釣合い重りと、
前記昇降路のピット部に設けられ、平面視前記かごと前記釣合い重りとの間に配置された巻上機と、
を備え、前記釣合い重り及び前記巻上機は、平面視、その長手方向が、前記空間の長手方向に合わせて配置されたことを特徴とするエレベータ装置。
【請求項２】
エレベータ昇降路内を昇降するかごと、
前記かごと釣瓶式に懸架され、平面視前記かごと一側の昇降路壁との間に形成された空間を、前記かごとは逆方向に昇降する釣合い重りと、
前記昇降路内に立設され、前記釣合い重りを案内する釣合い重り用ガイドレールと、
前記昇降路のピット部に設けられ、平面視前記かごと前記釣合い重りとの間に配置された巻上機と、
前記昇降路壁に設けられ、前記釣合い重り用ガイドレール及び前記巻上機を支持するブラケット装置と、
を備え、前記釣合い重り及び前記巻上機は、平面視、その長手方向が、前記空間の長手方向に合わせて配置されたことを特徴とするエレベータ装置。
【請求項３】
ブラケット装置は、一側の昇降路壁とによって、平面視釣合い重りの周囲を取り囲むように配置されたことを特徴とする請求項２に記載のエレベータ装置。
【請求項４】
昇降路内に立設され、その上方で巻上機を支持するとともに、最下段のレールブラケット装置に固定された支持柱と、
を備えたことを特徴とする請求項２又は請求項３に記載のエレベータ装置。
【請求項５】
巻上機は、その上部が、下から２段目のレールブラケット装置に支持されたことを特徴とする請求項２から請求項４の何れかに記載のエレベータ装置。
【請求項６】
昇降路内に立設され、かごを案内する一対のかご側ガイドレールと、
を備え、前記かご側ガイドレールの一方は、その下部が、最下段のレールブラケット装置に支持されたことを特徴とする請求項２から請求項５の何れかに記載のエレベータ装置。
【発明の詳細な説明】
【技術分野】
【０００１】
この発明は、昇降路のピット部に巻上機が設けられたエレベータ装置に関するものである。
【背景技術】
【０００２】
エレベータの昇降路上方に機械室が設置されていない機械室レスエレベータ装置では、エレベータの巻上機や制御盤等、従来機械室に設置されていたエレベータ機器類を昇降路内に配置する必要がある。このため、エレベータ機器類は、昇降路内を昇降するかごや釣合い重りに干渉することがないようにその設置スペースが著しく制限されるとともに、昇降路サイズにも多大な影響を与えることとなっていた。
【０００３】
このようなエレベータ装置の従来技術として、例えば、エレベータ巻上機が、昇降路のピット部に設置されるとともに、一側の昇降路壁に沿って平面視釣合い重りと隣接するように配置されたものが提案されている（特許文献１参照）。かかるエレベータ装置では、巻上機は、取付枠の一端が釣合い重り用ガイドレールに移動可能に固定されるとともに、取付枠がテンションロッドによって昇降路のピット部底面に固定されることにより、昇降路ピット部の所定位置で支持されている。
【０００４】
【特許文献１】特開２００６−５２０７６号公報
【発明の開示】
【発明が解決しようとする課題】
【０００５】
特許文献１記載のものでは、巻上機と釣合い重りとが一側の昇降路壁に沿って互いに隣接して配置されていたため、エレベータの積載容量が増加するにつれ、昇降路サイズが巻上機の横幅寸法と釣合い重りの横幅寸法とに依存して増大するといった問題があった。なお、近年、機械室レスエレベータでは、厚み寸法に対してその横幅寸法が大きく設計された薄型巻上機が多く用いられている。このため、昇降路サイズが巻上機の横幅寸法に依存して増大する従来の配置では、昇降路サイズを抑制することが困難となっていた。
【０００６】
また、特許文献１記載の構造では、巻上機と釣合い重りとに発生する地震時荷重が、共に釣合い重り用ガイドレールに作用してしまう。このため、釣合い重り用ガイドレールを剛性の高い部材によって構成したり、レールブラケットの設置間隔を狭めて、釣合い重り用ガイドレールを昇降路壁等に強固に固定したりする必要があった。したがって、釣合い重り用ガイドレールの据付作業性が悪化し、コスト高になるといった問題もあった。
【０００７】
この発明は、上述のような課題を解決するためになされたもので、その目的は、昇降路のピット部に巻上機が設置されたエレベータ装置において、昇降路サイズの増大を抑制することができるエレベータ装置を提供することである。
【０００８】
また、この発明の他の目的は、昇降路のピット部に巻上機が設置されたエレベータ装置において、昇降路サイズの増大を抑制することができ、且つ、ガイドレールに作用する地震時荷重を大幅に軽減することができるエレベータ装置を提供することである。
【課題を解決するための手段】
【０００９】
この発明に係るエレベータ装置は、エレベータ昇降路内を昇降するかごと、かごと釣瓶式に懸架され、平面視かごと一側の昇降路壁との間に形成された空間を、かごとは逆方向に昇降する釣合い重りと、昇降路のピット部に設けられ、平面視かごと釣合い重りとの間に配置された巻上機と、を備え、釣合い重り及び巻上機は、平面視、その長手方向が、上記空間の長手方向に合わせて配置されたものである。
【００１０】
また、この発明に係るエレベータ装置は、エレベータ昇降路内を昇降するかごと、かごと釣瓶式に懸架され、平面視かごと一側の昇降路壁との間に形成された空間を、かごとは逆方向に昇降する釣合い重りと、昇降路内に立設され、釣合い重りを案内する釣合い重り用ガイドレールと、昇降路のピット部に設けられ、平面視かごと釣合い重りとの間に配置された巻上機と、昇降路壁に設けられ、釣合い重り用ガイドレール及び巻上機を支持するブラケット装置と、を備え、釣合い重り及び巻上機は、平面視、その長手方向が、上記空間の長手方向に合わせて配置されたものである。
【発明の効果】
【００１１】
この発明によれば、エレベータ昇降路内を昇降するかごと、かごと釣瓶式に懸架され、平面視かごと一側の昇降路壁との間に形成された空間を、かごとは逆方向に昇降する釣合い重りと、昇降路のピット部に設けられ、平面視かごと釣合い重りとの間に配置された巻上機と、を備え、釣合い重り及び巻上機は、平面視、その長手方向が、上記空間の長手方向に合わせて配置されたことにより、昇降路のピット部に巻上機が設置されたエレベータ装置において、昇降路サイズの増大を抑制することができる。
【００１２】
また、この発明によれば、エレベータ昇降路内を昇降するかごと、かごと釣瓶式に懸架され、平面視かごと一側の昇降路壁との間に形成された空間を、かごとは逆方向に昇降する釣合い重りと、昇降路内に立設され、釣合い重りを案内する釣合い重り用ガイドレールと、昇降路のピット部に設けられ、平面視かごと釣合い重りとの間に配置された巻上機と、昇降路壁に設けられ、釣合い重り用ガイドレール及び巻上機を支持するブラケット装置と、を備え、釣合い重り及び巻上機は、平面視、その長手方向が、上記空間の長手方向に合わせて配置されたことにより、昇降路のピット部に巻上機が設置されたエレベータ装置において、昇降路サイズの増大を抑制することができ、且つ、ガイドレールに作用する地震時荷重を大幅に軽減することができる。
【発明を実施するための最良の形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
図１はこの発明の実施の形態１におけるエレベータ装置を示す要部正面図、図２は図１に示すエレベータ装置のＡ−Ａ矢視図であり、機械室レスエレベータの昇降路ピット部を示している。図１及び図２において、１はエレベータの昇降路、２は昇降路１内を昇降するかご、３はかご２とは互いに逆方向に昇降路１内を昇降する釣合い重りである。
【００１５】
ここで、上記釣合い重り３は、平面視かご２の一側面２ａと、この一側面２ａに対向する、昇降路１の間口方向一側の昇降路壁４ａとの間に形成された空間内を昇降する。また、釣合い重り３は、平面視、その長手方向が、かご２と昇降路壁４ａとの間に形成された上記空間の長手方向に合わせて配置されており、昇降路１の間口方向の幅よりも奥行方向の幅の方が大きくなるように設置されている。なお、上記釣合い重り３は、上記空間内において昇降路壁４ａ側に寄って配置されており、昇降路壁４ａに対向するその一側面３ａと昇降路壁４ａとの間隔が、上記一側面３ａとは反対側の他側面３ｂと、平面視この他側面３ｂに対向するかご２の一側面２ａとの間隔よりも小さく、上記一側面３ａが昇降路壁４ａに近接するように配置されている。
【００１６】
また、５及び６はかご２を間に挟んで互いに対向するように昇降路１内に立設され、かご２の昇降方向を案内する一対のかご用ガイドレール、７及び８は釣合い重り３を間に挟んで互いに対向するように昇降路１内に立設され、釣合い重り３の昇降方向を案内する一対の釣合い重り用ガイドレールである。ここで、上記かご用ガイドレール５及び６は、かご２の間口方向両側に配置されている。具体的には、一方のかご用ガイドレール５が、平面視、かご２と釣合い重り３との間に、他方のかご用ガイドレール６がかご２と昇降路壁４ａに対向する昇降路壁４ｂとの間に配置されている。また、上記釣合い重り用ガイドレール７及び８は、釣合い重り３の長手方向両側、即ち、昇降路１の奥行方向両側に配置されている。具体的には、一方の釣合い重り用ガイドレール７が、平面視、釣合い重り３と乗場出入口が形成された昇降路壁９ａとの間に、他方の釣合い重り用ガイドレール８が釣合い重り３と昇降路壁９ａに対向する奥側の昇降路壁９ｂとの間に配置されている。
【００１７】
１０は昇降路１のピット部底面に設けられた支持台である。この支持台１０は、ピット部底面の所定の範囲に渡って設けられており、一方のかご用ガイドレール５、一対の釣合い重り用ガイドレール７及び８の各下端部を支持している。即ち、一方のかご用ガイドレール５並びに一対の釣合い重り用ガイドレール７及び８は、支持台１０からそれぞれ立設されている。
【００１８】
１１はかご２及び釣合い重り３を釣瓶式に懸架する懸架手段からなる主ロープ、１２は主ロープ１１の一部が巻き掛けられた駆動綱車、１３は上記駆動綱車１２をその一部に含むとともに、昇降路１のピット部に設けられ、ピット部底面から所定距離上方となる高さに配置されたエレベータ巻上機、１４は巻上機１３が直接固定された、巻上機１３を支持するユニット枠である。
【００１９】
ここで、上記巻上機１３は、その厚み寸法に対して幅寸法が大きい、即ち、駆動綱車１２の回動軸方向に薄く、駆動綱車１２の回動軸方向に直交する高さ方向及び横幅方向に大きな薄型巻上機から構成される。そして、巻上機１３は、平面視、一方のかご用ガイドレール５と昇降路１の奥行方向に並んで、かご２と釣合い重り３との間に配置されるとともに、その長手方向が、かご２と昇降路壁４ａとの間に形成された空間の長手方向、並びに、釣合い重り３の長手方向と同じく昇降路１の奥行方向を向くように配置されている。即ち、巻上機１３は、駆動綱車１２の回動軸が昇降路１の間口方向を向くように配置されることにより、昇降路１の間口方向の幅よりも奥行方向の幅の方が大きくなるように設置されている。
【００２０】
また、１５ａ及び１５ｂは支持台１０から立設され、ユニット枠１４を介して巻上機１３を支持する一対の支持柱である。この支持柱１５ａ及び１５ｂは、例えば、巻上機１３をその上方で支持するために各上端部がユニット枠１４の下部に固定されており、巻上機１３を冠水等の恐れのない所定の高さに配置するため、所定の長さ（高さ）を有している。また、支持柱１５ａ及び１５ｂは、巻上機１３の荷重を均等に支持するため、例えば、上記巻上機１３の向きに合わせて昇降路１の奥行方向に所定の間隔で並んで配置されている。
【００２１】
１６は昇降路１ピット部の昇降路壁４ａに設けられ、一方のかご用ガイドレール５の下部、一対の釣合い重り用ガイドレール７及び８の各下部、巻上機１３をそれぞれ支持するブラケット装置である。このブラケット装置１６は、例えば、第１乃至第４ブラケット１７乃至２０と、取付金２１及び２２とから構成される。
【００２２】
ここで、上記第１ブラケット１７及び第２ブラケット１８は、例えば山形鋼等からなり、平面視釣合い重り３の長手方向両側に配置され、釣合い重り用ガイドレール７及び８を支持している。具体的には、第１ブラケット１７は、その長手が昇降路１の間口方向となるように、釣合い重り３が近接する昇降路壁４ａから昇降路１内部側に向かって突設され、その中間部に、一方の釣合い重り用ガイドレール７がレールクリップ（図示せず）等によって固定されている。また、第２ブラケット１８は、上記第１ブラケット１７と同様に、その長手が昇降路１の間口方向となるように昇降路壁４ａから昇降路１内部側に向かって突設され、その中間部に、他方の釣合い重り用ガイドレール８がレールクリップ等によって固定されている。
【００２３】
上記第３ブラケット１９は、例えばＨ鋼等からなり、平面視かご２と釣合い重り３との間に配置され、第１ブラケット１７及び第２ブラケット１８間に連結されている。具体的には、第３ブラケット１９は、その長手が昇降路１の奥行方向となるように配置され、その乗場側端部が第１ブラケット１７の先端部に、奥側端部が第２ブラケット１８の先端部に固定されている。即ち、上記第１乃至第３ブラケット１７乃至１９は、全体として略コ字状を呈するように一体的に構成されている。そして、第１乃至第３ブラケット１７乃至１９は、そのコ字状部内に釣合い重り３が配置されるように昇降路１ピット部の昇降路壁４ａに設置されることにより、昇降路壁４ａとによって平面視釣合い重り３の周囲を取り囲むように配置されている。
【００２４】
なお、上記第１ブラケット１７及び第２ブラケット１８は、釣合い重り用ガイドレール７及び８を支持する支持手段としては、釣合い重り用ガイドレール７及び８の下端部を支持する支持台１０を除くもののうち、昇降路１内において最も下方に設置されたものを示している。即ち、図１及び図２に示すブラケット装置１６は、昇降路１内において最も下方に配置された最下段のものを表している。
【００２５】
また、上記第４ブラケット２０は、一方のかご用ガイドレール５に作用する荷重の一部を、第１乃至第３ブラケット１７乃至１９を介して昇降路壁４ａに支持させるためのものである。具体的には、第４ブラケット２０は略Ｌ字状を呈し、その下端部が第３ブラケット１９の上面に設けられるとともに、かご２側に突出する上端部にレールクリップ等を介してかご側ガイドレール５の下部が固定されている。また、上記取付金２１及び２２は、支持柱１５ａ及び１５ｂを介して巻上機１３に作用する荷重の一部を、第１乃至第３ブラケット１７乃至１９を介して昇降路壁４ａに支持させるためのものである。具体的には、取付金２１及び２２は略Ｌ字状を呈し、一端部が第３ブラケット１９の下面に固定されるとともに、かご２側に突出する他端部に、締結手段（図示せず）等を介して支持柱１５ａ及び１５ｂが固定されている。
【００２６】
この発明の実施の形態１によれば、釣合い重り３と巻上機１３とが、平面視かご２と昇降路壁４ａとの間に形成された空間内に配置されるとともに、各長手方向が上記空間の長手方向に合わせて配置されているため、エレベータの積載容量が増加した場合であっても、昇降路サイズの増大を抑制することが可能となる。即ち、エレベータの積載容量が増加して釣合い重り３の横幅寸法や巻上機１３の横幅寸法が増大した場合であっても、上記空間の長手方向の寸法内で巻上機１３等の寸法増加分を吸収することが可能であり、かご２及び昇降路壁４ａ間距離を大きくする必要はない。なお、巻上機１３を、平面視かご２と釣合い重り３との間に配置し、その長手方向を、釣合い重り３の長手方向とかご２及び釣合い重り３の間に形成された空間の長手方向とに合わせて配置しているため、巻上機１３やユニット枠１４の一部を、かご２や釣合い重り３の昇降可能範囲と同じ高さに配置することも可能である。かかる場合には、昇降路１のピット部深さが浅い場合にも容易に対応させることができる。
【００２７】
また、釣合い重り用ガイドレール７及び８の各下部と巻上機１３とが、昇降路壁４ａから突設されたブラケット装置１６によって支持されている。このため、釣合い重り３と巻上機１３とに発生する地震時荷重を強固な昇降路壁４ａによって直接支持することができ、釣合い重り用ガイドレール７及び８等に作用する地震時荷重を大幅に軽減させることが可能となる。
【００２８】
また、上記ブラケット装置１６をコ字状、いわゆる門型構造にして、このブラケット装置１６に釣合い重り用ガイドレール７及び８の各下部と巻上機１３とを共に支持させているため、最下段のブラケット装置１６を簡単に且つ強固に構成することができ、地震時荷重への対応と、昇降路１ピット部の簡素化及び昇降路サイズの抑制とを同時に図ることが可能となる。
【００２９】
具体的には、支持柱１５ａ及び１５ｂの中間部を最下段のレールブラケット装置１６に固定することにより、巻上機１３を所定の高さに配置した状態で、この巻上機１３を強固に支持することが可能となる。また、一方のかご用ガイドレール５の下部を最下段のレールブラケット装置１６に支持させることにより、かご用ガイドレール５の下部を支持するためだけに他のブラケット装置を追加する必要がなく、昇降路１ピット部の構成をより簡素化させることができる。
【００３０】
実施の形態２．
図３はこの発明の実施の形態２におけるエレベータ装置を示す要部正面図である。図３において、２３は昇降路１ピット部の昇降路壁４ａに設けられ、一方のかご用ガイドレール５の下部、一対の釣合い重り用ガイドレール７及び８の各下部、巻上機１３の上部をそれぞれ支持するブラケット装置である。このブラケット装置２３は、昇降路１内において最下段のブラケット装置１６の一段上に配置された、下から２段目のものを示しており、ブラケット装置１６とほぼ同様の構成を有して、例えば、第１乃至第４ブラケット２４乃至２７と、取付金２８及び２９とから構成される。なお、その他は、ブラケット装置１６の構成を含め、実施の形態１と同様の構成を有している。
【００３１】
ここで、上記第１乃至第３ブラケット２４乃至２６は、全体として略コ字状を呈するように一体的に構成され、昇降路壁４ａとによって平面視釣合い重り３の周囲を取り囲むように配置されている。また、上記取付金２８及び２９は、ユニット枠１４を介して巻上機１３上部に作用する荷重の一部を、第１乃至第３ブラケット２４乃至２６を介して昇降路壁４ａに支持させるものである。具体的には、取付金２８及び２９は略Ｌ字状を呈し、一端部が第３ブラケット２６の下面に固定されるとともに、かご２側に突出する他端部が、締結手段（図示せず）等を介してユニット枠１４の上端部側面に固定されている。なお、ブラケット装置２３の他の構成は、ブラケット装置１６の対応する構成と同様である。
【００３２】
この発明の実施の形態２によれば、巻上機１３に作用する荷重がブラケット装置１６及び２３によって支持されているため、例えば、巻上機１３の重量が大きい場合であっても、巻上機１３に発生する地震時荷重に十分に対応することが可能となり、釣合い重り用ガイドレール７及び８やかご用ガイドレール５に作用する地震時荷重を大幅に軽減させることが可能となる。なお、その他は実施の形態１と同様の効果を奏する。
【図面の簡単な説明】
【００３３】
【図１】この発明の実施の形態１におけるエレベータ装置を示す要部正面図である。
【図２】図１に示すエレベータ装置のＡ−Ａ矢視図である。
【図３】この発明の実施の形態２におけるエレベータ装置を示す要部正面図である。
【符号の説明】
【００３４】
１  昇降路
２  かご
２ａ  一側面
３  釣合い重り
３ａ  一側面
３ｂ  他側面
４ａ、４ｂ、９ａ、９ｂ  昇降路壁
５、６  かご用ガイドレール
７、８  釣合い重り用ガイドレール
１０  支持台
１１  主ロープ
１２  駆動綱車
１３  巻上機
１４  ユニット枠
１５ａ、１５ｂ  支持柱
１６、２３  ブラケット装置
１７、２４  第１ブラケット
１８、２５  第２ブラケット
１９、２６  第３ブラケット
２０、２７  第４ブラケット
２１、２２、２８、２９  取付金
【図１】
2008168986.tif 000003
【図２】
2008168986.tif 000004
【図３】
2008168986.tif 000005